(57)【特許請求の範囲】
【請求項１】
第１無線アクセスネットワーク配下の第１セルにおいて接続状態の移動局に対して、所望無線品質の測定方法を通知する工程Ａと、
接続状態の前記移動局が、前記第１セルから第２無線アクセスネットワーク配下の第２セルにハンドオーバを行う際に、該第２セルを管理する第２無線アクセスネットワーク装置に対して、該移動局において所望無線品質の測定方法が既に記憶されている旨を通知する工程Ｂとを有し、
前記第２無線アクセスネットワーク装置は、前記移動局において所望無線品質の測定方法が既に記憶されている旨が通知されている場合、前記移動局に対して、所望無線品質の測定方法を通知しないことを特徴とする移動通信方法。
【請求項２】
前記工程Ｂにおいて、前記第１セルを管理する第１無線アクセスネットワーク装置が、前記第２無線アクセスネットワーク装置に対して、前記通知を行うことを特徴とする請求項１に記載の移動通信方法。
【請求項３】
前記工程Ｂにおいて、前記移動局が、前記第２無線アクセスネットワーク装置に対して、前記通知を行うことを特徴とする請求項１に記載の移動通信方法。
【請求項４】
第１無線アクセスネットワーク配下の第１セルにおいて接続状態である場合に、所望無線品質の測定方法を受信するように構成されている受信部と、
接続状態において、前記第１セルから第２無線アクセスネットワーク配下の第２セルにハンドオーバを行う場合に、該第２セルを管理する無線アクセスネットワーク装置に対して、既に所望無線品質の測定方法を記憶している旨を通知するように構成されている送信部とを具備することを特徴とする移動局。
【請求項５】
配下の第１セルにおいて接続状態の移動局に対して、所望無線品質の測定方法を通知するように構成されている第１送信部と、
接続状態の前記移動局が、前記第１セルから第２無線アクセスネットワーク配下の第２セルにハンドオーバを行う際に、該第２セルを管理する無線アクセスネットワーク装置に対して、該移動局において所望無線品質の測定方法が既に記憶されている旨を通知するように構成されている第２送信部とを具備し、
前記第１送信部は、前記移動局において所望無線品質の測定方法が既に記憶されている旨が通知されている場合、前記移動局に対して、所望無線品質の測定方法を通知しないことを特徴とする無線アクセスネットワーク装置。
【発明の詳細な説明】
【技術分野】
【０００１】
本発明は、移動通信方法、移動局及び無線アクセスネットワーク装置に関する。
【背景技術】
【０００２】
ＬＴＥ（Ｌｏｎｇ  Ｔｅｒｍ  Ｅｖｏｌｕｔｉｏｎ）方式では、移動局ＵＥに所望無線品質を測定させて報告させる「ＭＤＴ（Ｍｉｎｉｍｉｓａｔｉｏｎ  ｏｆ  Ｄｒｉｖｅ  Ｔｅｓｔｓ）」という手法を行うことが規定されている。
【０００３】
かかるＭＤＴでは、移動局ＵＥは、無線基地局ｅＮＢによって送信された「ＭＤＴ  Ｃｏｎｆｉｇｕｒａｔｉｏｎ」によって指定されている測定方法によって、所望無線品質を測定し、移動局ＵＥは、無線基地局ｅＮＢに対して、無線基地局ｅＮＢによって要求された際、かかる測定結果を「ＭＤＴ  Ｌｏｇ」として報告するように構成されている。
【先行技術文献】
【非特許文献】
【０００４】
【非特許文献１】３ＧＰＰ  ＴＲ３６.８０５
【非特許文献２】３ＧＰＰ  ＴＳ３７.３２０
【発明の概要】
【発明が解決しようとする課題】
【０００５】
ここで、図６の例では、無線アクセスネットワークＲＡＮ＃１配下のセル＃１において「ＲＲＣ_Ｃｏｎｎｅｃｔｅｄ状態」の移動局ＵＥは、無線基地局ｅＮＢ＃１によって送信された「ＭＤＴ  Ｃｏｎｆｉｇｕｒａｔｉｏｎ＃１」を受信して記憶している。
【０００６】
しかしながら、かかる移動局ＵＥは、セル＃１から無線アクセスネットワークＲＡＮ＃２配下のセル＃２にハンドオーバを行うと、セル＃２を管理する無線基地局ｅＮＢ＃２によって送信された「ＭＤＴ  Ｃｏｎｆｉｇｕｒａｔｉｏｎ＃２」によって、「ＭＤＴ  Ｃｏｎｆｉｇｕｒａｔｉｏｎ＃１」を上書きしてしまうという問題点があった。
【０００７】
そこで、本発明は、上述の課題に鑑みてなされたものであり、Ｉｎｔｅｒ-ＲＡＴ（Ｒａｄｉｏ  Ａｃｃｅｓｓ  Ｔｅｃｈｎｏｌｏｇｙ）ハンドオーバが行われる場合であっても、「ＭＤＴ  Ｃｏｎｆｉｇｕｒａｔｉｏｎ」の上書きを回避することができる移動通信方法、移動局及び無線アクセスネットワーク装置を提供することを目的とする。
【課題を解決するための手段】
【０００８】
本発明の第１の特徴は、移動通信方法であって、第１無線アクセスネットワーク配下の第１セルにおいて接続状態の移動局に対して、所望無線品質の測定方法を通知する工程Ａと、接続状態の前記移動局が、前記第１セルから第２無線アクセスネットワーク配下の第２セルにハンドオーバを行う際に、該第２セルを管理する第２無線アクセスネットワーク装置に対して、該移動局において所望無線品質の測定方法が既に記憶されている旨を通知する工程Ｂとを有することを要旨とする。
【０００９】
本発明の第２の特徴は、移動局であって、第１無線アクセスネットワーク配下の第１セルにおいて接続状態である場合に、所望無線品質の測定方法を受信するように構成されている受信部と、接続状態において、前記第１セルから第２無線アクセスネットワーク配下の第２セルにハンドオーバを行う場合に、該第２セルを管理する無線アクセスネットワーク装置に対して、既に所望無線品質の測定方法を記憶している旨を通知するように構成されている送信部とを具備することを要旨とする。
【００１０】
本発明の第３の特徴は、無線アクセスネットワーク装置であって、配下の第１セルにおいて接続状態の移動局に対して、所望無線品質の測定方法を通知するように構成されている第１送信部と、接続状態の前記移動局が、前記第１セルから第２無線アクセスネットワーク配下の第２セルにハンドオーバを行う際に、該第２セルを管理する無線アクセスネットワーク装置に対して、該移動局において所望無線品質の測定方法が既に記憶されている旨を通知するように構成されている第２送信部とを具備していることを要旨とする。
【発明の効果】
【００１１】
以上説明したように、本発明によれば、Ｉｎｔｅｒ-ＲＡＴハンドオーバが行われる場合であっても、「ＭＤＴ  Ｃｏｎｆｉｇｕｒａｔｉｏｎ」の上書きを回避することができる移動通信方法、移動局及び無線アクセスネットワーク装置を提供することができる。
【図面の簡単な説明】
【００１２】
【図１】本発明の第１の実施形態に係る移動通信システムの全体構成図である。
【図２】本発明の第１の実施形態に係る移動局の機能ブロック図である。
【図３】本発明の第１の実施形態に係る無線基地局の機能ブロック図である。
【図４】本発明の第１の実施形態に係る移動通信システムの動作を説明するための図である。
【図５】本発明の第２の実施形態に係る移動通信システムの動作を説明するための図である。
【図６】従来の移動通信システムの動作を説明するための図である。
【発明を実施するための形態】
【００１３】
（本発明の第１の実施形態に係る移動通信システム）
図１乃至図４を参照して、本発明の第１の実施形態に係る移動通信システムについて説明する。
【００１４】
図１に示すように、本実施形態に係る移動通信システムは、運用保守サーバＯＡＭと、移動管理ノードＭＭＥ（Ｍｏｂｉｌｉｔｙ  Ｍａｎａｇｅｍｅｎｔ  Ｅｎｔｉｔｙ）と、ＬＴＥ方式の無線アクセスネットワーク装置としての無線基地局ｅＮＢとを具備している。
【００１５】
図２に示すように、本実施形態に係る移動局ＵＥは、受信部１１と、ＭＤＴ  Ｃｏｎｆｉｇｕｒａｔｉｏｎ記憶部１２と、測定部１３と、ＭＤＴ  Ｌｏｇ記憶部１４と、送信部１５とを具備している。
【００１６】
受信部１１は、無線アクセスネットワーク装置（例えば、無線基地局ｅＮＢ）によって送信される信号を受信するように構成されている。
【００１７】
例えば、移動局ＵＥが、無線アクセスネットワークＲＡＮ＃１配下のセル＃１において「ＲＲＣ_Ｃｏｎｎｅｃｔｅｄ状態」である場合に、受信部１１は、セル＃１を管理する無線基地局ｅＮＢから、ＲＲＣ（Ｒａｄｉｏ  Ｒｅｓｏｕｒｃｅ  Ｃｏｎｔｒｏｌ）信号として、「ＭＤＴ  Ｃｏｎｆｉｇｕｒａｔｉｏｎ＃１」を受信するように構成されている。
【００１８】
ＭＤＴ  Ｃｏｎｆｉｇｕｒａｔｉｏｎ記憶部１２は、受信部１１によって受信された「ＭＤＴ  Ｃｏｎｆｉｇｕｒａｔｉｏｎ」を記憶するように構成されている。
【００１９】
なお、ＭＤＴ  Ｃｏｎｆｉｇｕｒａｔｉｏｎ記憶部１２は、１種類の「ＭＤＴ  Ｃｏｎｆｉｇｕｒａｔｉｏｎ」のみを記憶することができるように構成されている。
【００２０】
測定部１３は、ＭＤＴ  Ｃｏｎｆｉｇｕｒａｔｉｏｎ記憶部１２に記憶されている「ＭＤＴ  Ｃｏｎｆｉｇｕｒａｔｉｏｎ」によって指定されている測定方法によって、所望無線品質を測定するように構成されている。
【００２１】
ＭＤＴ  Ｌｏｇ記憶部１４は、測定部１３によって測定された所望無線品質を「ＭＤＴ  Ｌｏｇ」として記憶するように構成されている。
【００２２】
なお、ＭＤＴ  Ｌｏｇ記憶部１４は、１種類の「ＭＤＴ  Ｌｏｇ」のみを記憶することができるように構成されている。
【００２３】
送信部１５は、無線アクセスネットワーク装置（例えば、無線基地局ｅＮＢ）に対して、信号を送信するように構成されている。
【００２４】
例えば、移動局ＵＥが、「ＲＲＣ_Ｃｏｎｎｅｃｔｅｄ状態」である場合に、送信部１５は、ＭＤＴ  Ｃｏｎｆｉｇｕｒａｔｉｏｎ記憶部１２に記憶されている「ＭＤＴ  Ｃｏｎｆｉｇｕｒａｔｉｏｎ」によって指定されている報告方法によって、無線アクセスネットワーク装置（例えば、無線基地局ｅＮＢ）に対して、ＭＤＴ  Ｌｏｇ記憶部１４に記憶されている「ＭＤＴ  Ｌｏｇ」を報告するように構成されている。
【００２５】
なお、移動局ＵＥが、「ＲＲＣ_Ｃｏｎｎｅｃｔｅｄ状態」で、「ＭＤＴ  Ｃｏｎｆｉｇｕｒａｔｉｏｎ」を受信したセル＃１から無線アクセスネットワークＲＡＮ＃２配下のセル＃２にＩｎｔｅｒ-ＲＡＴハンドオーバを行う場合に、送信部１５は、セル＃２を管理する無線基地局ｅＮＢ＃２に対して、「ＭＤＴ  Ｌｏｇ」を記憶している旨を通知するための「ＭＤＴ  Ｌｏｇ  Ｉｎｄｉｃａｔｉｏｎ」を送信するように構成されていてもよい。
【００２６】
図３に示すように、本実施形態に係る無線基地局ｅＮＢは、受信部２１と、送信部２２と、ＭＤＴ  Ｌｏｇ記憶部２３とを具備している。
【００２７】
受信部２１は、移動局ＵＥや移動管理ノードＭＭＥによって送信された信号を受信するように構成されている。
【００２８】
例えば、受信部２１は、移動局ＵＥによって送信された「ＭＤＴ  Ｌｏｇ」や「ＭＤＴ  Ｌｏｇ  Ｉｎｄｉｃａｔｉｏｎ」等を受信するように構成されている。
【００２９】
また、受信部２１は、移動管理ノードＭＭＥによって送信された「ＭＤＴ  Ｄａｔａ  Ｃｏｌｌｅｃｔｉｏｎ開始指示信号」を受信するように構成されている。
【００３０】
送信部２２は、移動局ＵＥや移動管理ノードＭＭＥに対して、信号を送信するように構成されている。
【００３１】
例えば、送信部２２は、受信部２１によって「ＭＤＴ  Ｄａｔａ  Ｃｏｌｌｅｃｔｉｏｎ開始指示信号」が受信された場合に、無線基地局ｅＮＢ配下のセルにおいて「ＲＲＣ_Ｃｏｎｎｅｃｔｅｄ状態」の移動局ＵＥに対して、「ＭＤＴ  Ｃｏｎｆｉｇｕｒａｔｉｏｎ」を送信するように構成されていてもよい。
【００３２】
ただし、受信部２１が、移動管理ノードＭＭＥから、移動局ＵＥ宛ての「ＭＤＴ  Ｄａｔａ  Ｃｏｌｌｅｃｔｉｏｎ開始指示信号」が受信された場合であっても、移動局ＵＥのハンドオーバ元の無線基地局ｅＮＢから、移動局ＵＥにおいて「ＭＤＴ  Ｃｏｎｆｉｇｕｒａｔｉｏｎ」が既に記憶されている旨が通知されている場合には、送信部２２は、移動局ＵＥに対して、「ＭＤＴ  Ｃｏｎｆｉｇｕｒａｔｉｏｎ」を送信しないように構成されていてもよい。
【００３３】
また、受信部２１が、移動局ＵＥによって送信された「ＭＤＴ  Ｌｏｇ  Ｉｎｄｉｃａｔｉｏｎ」を受信した場合に、送信部２２は、移動局ＵＥに対して、「ＭＤＴ  Ｌｏｇ報告要求信号」を送信するように構成されていてもよい。
【００３４】
ＭＤＴ  Ｌｏｇ記憶部２３は、受信部２１によって受信された「ＭＤＴ  Ｌｏｇ」を記憶するように構成されている。
【００３５】
以下、図４を参照して、本発明の第１の実施形態に係る移動通信システムの動作の一例について説明する。
【００３６】
図４に示すように、移動局ＵＥが、無線アクセスネットワークＲＡＮ＃１内の無線基地局ｅＮＢ＃１配下のセル＃１において「ＲＲＣ_Ｃｏｎｎｅｃｔｅｄ状態」である場合に、ステップＳ１００１において、運用保守サーバＯＡＭ＃１は、移動管理ノードＭＭＥ＃１に対して、移動局ＵＥの識別情報及び「ＭＤＴ  Ｐｏｌｉｃｙ」を含む「ＭＤＴ  Ｄａｔａ  Ｃｏｌｌｅｃｔｉｏｎ開始指示信号」を送信する。
【００３７】
ここで、「ＭＤＴ  Ｐｏｌｉｃｙ」には、「Ｌｏｇ種別」や「取得データ種別」や「取得期間」や「ＵＥ  Ｃａｐａｂｉｌｉｔｙ  Ｐｏｌｉｃｙ」等が含まれている。
【００３８】
「Ｌｏｇ種別」には、「Ｌｏｇｇｅｄ  ＭＤＴ」又は「Ｉｍｍｅｄｉａｔｅ  ＭＤＴ」が設定可能であり、「取得データ種別」には、「Ｃｏｖｅｒａｇｅ  Ｍａｐ」や「ＲＬＦ」や「Ｔｈｒｏｕｐｕｔ」等が設定可能であり、「ＵＥ  Ｃａｐａｂｉｌｉｔｙ  Ｐｏｌｉｃｙ」には、「Ｂｕｆｆｅｒ  Ｓｉｚｅ」や「Ｌｏｇｇｅｄ/Ｉｍｍｅｄｉａｔｅ  ＭＤＴ対応」等が設定可能である。
【００３９】
ステップＳ１００２において、移動管理ノードＭＭＥ＃１は、移動局ＵＥ用の個別シグナリング（例えば、Ｔｒａｃｅ  Ｐｒｏｃｅｄｕｒｅ）を用いて、無線基地局ｅＮＢ＃１に対して、「ＭＤＴ  Ｐｏｌｉｃｙ」を含む「ＭＤＴ  Ｄａｔａ  Ｃｏｌｌｅｃｔｉｏｎ開始指示信号」を送信する。
【００４０】
「ＭＤＴ Ｐｏｌｉｃｙ」は、無線基地局ｅＮＢ＃１において事前に設定されていてもよい。この場合、ステップＳ１００１やステップ１００２において、移動管理ノードＭＭＥ＃１は、「ＭＤＴ Ｄａｔａ  Ｃｏｌｌｅｃｔｉｏｎ開始指示信号」のみを送信する。
【００４１】
ステップＳ１００３において、無線基地局ｅＮＢ＃１は、移動局ＵＥ＃１に対して、「ＭＤＴ  Ｃｏｎｆｉｇｕｒａｔｉｏｎ＃１」を送信する。
【００４２】
移動局ＵＥは、ステップＳ１００４において、受信した「ＭＤＴ  Ｃｏｎｆｉｇｕｒａｔｉｏｎ＃１」を記憶し、セル＃１からセル＃２に移動する。
【００４３】
ステップＳ１００５において、移動局ＵＥのセル＃１からセル＃２への「Ｉｎｔｅｒ-ＲＡＴ  Ｈａｎｄｏｖｅｒ  Ｐｒｏｃｅｄｕｒｅ」が行われる。
【００４４】
ここで、かかる「Ｉｎｔｅｒ-ＲＡＴ  Ｈａｎｄｏｖｅｒ  Ｐｒｏｃｅｄｕｒｅ」において、セル＃１を管理する無線基地局ｅＮＢ＃１（ハンドオーバ元の無線基地局）は、セル＃２を管理する無線基地局ｅＮＢ＃２（ハンドオーバ先の無線基地局）に対して、移動局ＵＥにおいて「ＭＤＴ  Ｃｏｎｆｉｇｕｒａｔｉｏｎ」が既に記憶されている旨を通知する。
【００４５】
ここで、移動局ＵＥは、無線基地局ｅＮＢ＃２に対して、「ＭＤＴ  Ｌｏｇ」を記憶している旨を通知するための「ＭＤＴ  Ｌｏｇ  Ｉｎｄｉｃａｔｉｏｎ」を送信してもよい。
【００４６】
一方、ステップＳ１１０１において、運用保守サーバＯＡＭ＃２は、移動管理ノードＭＭＥ＃２に対して、移動局ＵＥの識別情報及び「ＭＤＴ  Ｐｏｌｉｃｙ」を含む「ＭＤＴ  Ｄａｔａ  Ｃｏｌｌｅｃｔｉｏｎ開始指示信号」を送信し、  ステップＳ１１０２において、移動管理ノードＭＭＥ＃２は、移動局ＵＥ用の個別シグナリングを用いて、無線基地局ｅＮＢ＃２に対して、「ＭＤＴ  Ｐｏｌｉｃｙ」を含む「ＭＤＴ  Ｄａｔａ  Ｃｏｌｌｅｃｔｉｏｎ開始指示信号」を送信する。
【００４７】
ここで、無線基地局ｅＮＢ＃２は、移動管理ノードＭＭＥ＃２から、移動局ＵＥ宛ての「ＭＤＴ  Ｄａｔａ  Ｃｏｌｌｅｃｔｉｏｎ開始指示信号」を受信したが、無線基地局ｅＮＢ＃２から、移動局ＵＥにおいて「ＭＤＴ  Ｃｏｎｆｉｇｕｒａｔｉｏｎ」が既に記憶されている旨が通知されているため、ステップＳ１００６において、移動局ＵＥに対して、「ＭＤＴ  Ｃｏｎｆｉｇｕｒａｔｉｏｎ＃２」を送信しない。
【００４８】
なお、移動局ＵＥは、セル＃２において、無線基地局ｅＮＢ＃２から「ＭＤＴ  Ｌｏｇ報告要求信号」を受信した場合には、無線基地局ｅＮＢ＃２に対して、セル＃１において通知された「ＭＤＴ  Ｃｏｎｆｉｇｕｒａｔｉｏｎ＃１」に応じて取得された「ＭＤＴ  Ｌｏｇ＃１」を送信するように構成されていてもよい。
【００４９】
また、本実施形態では、無線アクセスネットワークＲＡＮ＃１及びＲＡＮ＃２の双方がＬＴＥ方式の無線アクセスネットワークであるケースを例に挙げて説明しているが、本発明は、無線アクセスネットワークＲＡＮ＃１及びＲＡＮ＃２が他の方式の無線アクセスネットワークであるケースについても適用可能である。
【００５０】
本発明の第１の実施形態に係る移動通信システムによれば、移動局ＵＥが、セル＃１からセル＃２にＩｎｔｅｒ-ＲＡＴハンドオーバを行う際に、既に「ＭＤＴ  Ｃｏｎｆｉｇｕｒａｔｉｏｎ＃１」を記憶している場合には、無線基地局ｅＮＢ＃２が、移動局ＵＥに対して、「ＭＤＴ  Ｃｏｎｆｉｇｕｒａｔｉｏｎ＃２」を送信しないように構成されているため、「ＭＤＴ  Ｃｏｎｆｉｇｕｒａｔｉｏｎ＃２」による「ＭＤＴ  Ｃｏｎｆｉｇｕｒａｔｉｏｎ＃１」の上書きを回避することができる。
【００５１】
（本発明の第２の実施形態に係る移動通信システム）
以下、図５を参照して、本発明の第２の実施形態に係る移動通信システムについて、上述の第１の実施形態に係る移動通信システムとの相違点に着目して説明する。
【００５２】
本実施形態に係る移動通信システムでは、移動局ＵＥが、「ＲＲＣ_Ｃｏｎｎｅｃｔｅｄ状態」で、「ＭＤＴ  Ｃｏｎｆｉｇｕｒａｔｉｏｎ」を受信したセル＃１からセル＃２にＩｎｔｅｒ-ＲＡＴハンドオーバを行う際に、移動局ＵＥの送信部１５は、セル＃２を管理する無線基地局ｅＮＢ＃２に対して、既に「ＭＤＴ  Ｃｏｎｆｉｇｕｒａｔｉｏｎ」を記憶している旨を通知するための「ＭＤＴ  Ｃｏｎｆｉｇｕｒａｔｉｏｎ  Ｉｎｄｉｃａｔｉｏｎ」を送信するように構成されていてもよい。
【００５３】
ここで、無線基地局ｅＮＢの受信部２１が、移動管理ノードＭＭＥから、移動局ＵＥ宛ての「ＭＤＴ  Ｄａｔａ  Ｃｏｌｌｅｃｔｉｏｎ開始指示信号」が受信された場合であっても、移動局ＵＥから、移動局ＵＥにおいて「ＭＤＴ  Ｃｏｎｆｉｇｕｒａｔｉｏｎ  Ｉｎｄｉｃａｔｉｏｎ」を受信している場合には、無線基地局ｅＮＢの送信部２２は、移動局ＵＥに対して、「ＭＤＴ  Ｃｏｎｆｉｇｕｒａｔｉｏｎ」を送信しないように構成されていてもよい。
【００５４】
図５に示すように、ステップＳ２００１乃至Ｓ２００４の動作は、図４に示すステップＳ１００１乃至Ｓ１００４の動作と同一である。
【００５５】
ステップＳ２００５において、移動局ＵＥは、無線基地局ｅＮＢ＃２に対して、「ＭＤＴ  Ｃｏｎｆｉｇｕｒａｔｉｏｎ  Ｉｎｄｉｃａｔｉｏｎ」を送信する。
【００５６】
一方、ステップＳ２１０１において、運用保守サーバＯＡＭ＃２は、移動管理ノードＭＭＥ＃２に対して、移動局ＵＥの識別情報及び「ＭＤＴ  Ｐｏｌｉｃｙ」を含む「ＭＤＴ  Ｄａｔａ  Ｃｏｌｌｅｃｔｉｏｎ開始指示信号」を送信し、  ステップＳ２１０２において、移動管理ノードＭＭＥ＃２は、移動局ＵＥ用の個別シグナリングを用いて、無線基地局ｅＮＢ＃２に対して、「ＭＤＴ  Ｐｏｌｉｃｙ」を含む「ＭＤＴ  Ｄａｔａ  Ｃｏｌｌｅｃｔｉｏｎ開始指示信号」を送信する。
【００５７】
ここで、無線基地局ｅＮＢ＃２は、移動管理ノードＭＭＥ＃２から、移動局ＵＥ宛ての「ＭＤＴ  Ｄａｔａ  Ｃｏｌｌｅｃｔｉｏｎ開始指示信号」を受信したが、移動局ＵＥから、「ＭＤＴ  Ｃｏｎｆｉｇｕｒａｔｉｏｎ  Ｉｎｄｉｃａｔｉｏｎ」を受信しているため、ステップＳ２００６において、移動局ＵＥに対して、「ＭＤＴ  Ｃｏｎｆｉｇｕｒａｔｉｏｎ＃２」を送信しない。
【００５８】
以上に述べた本実施形態の特徴は、以下のように表現されていてもよい。
【００５９】
本実施形態の第１の特徴は、移動通信方法であって、無線アクセスネットワークＲＡＮ＃１（第１無線アクセスネットワーク）配下のセル＃１（第１セル）において「ＲＲＣ_Ｃｏｎｎｅｃｔｅｄ状態（接続状態）」の移動局ＵＥに対して、「ＭＤＴ  Ｃｏｎｆｉｇｕｒａｔｉｏｎ＃１（所望無線品質の測定方法）」を通知する工程Ａと、「ＲＲＣ_Ｃｏｎｎｅｃｔｅｄ状態」の移動局ＵＥが、セル＃１から無線アクセスネットワークＲＡＮ＃２（第２無線アクセスネットワーク）配下のセル＃２（第２セル）にハンドオーバを行う際に、セル＃２を管理する無線基地局ｅＮＢ＃２（第２無線アクセスネットワーク装置）に対して、移動局ＵＥにおいて「ＭＤＴ  Ｃｏｎｆｉｇｕｒａｔｉｏｎ」が既に記憶されている旨を通知する工程Ｂとを有することを要旨とする。
【００６０】
本実施形態の第１の特徴において、工程Ｂにおいて、セル＃１を管理する無線基地局ｅＮＢ＃１（第１無線アクセスネットワーク装置）が、「Ｈａｎｄｏｖｅｒ  Ｐｒｏｃｅｄｕｒｅ」において、無線基地局ｅＮＢ＃２に対して、上述の通知を行ってもよい。
【００６１】
本実施形態の第１の特徴において、工程Ｂにおいて、移動局ＵＥが、無線基地局ｅＮＢ＃２に対して、「ＭＤＴ  Ｃｏｎｆｉｇｕｒａｔｉｏｎ  Ｉｎｄｉｃａｔｉｏｎ」によって、上述の通知を行ってもよい。
【００６２】
本実施形態の第１の特徴において、無線基地局ｅＮＢ＃２は、上述の通知が行われた場合、移動局ＵＥに対して、「ＭＤＴ  Ｃｏｎｆｉｇｕｒａｔｉｏｎ＃２」を通知しなくてもよい。
【００６３】
本実施形態の第２の特徴は、移動局ＵＥであって、セル＃１において「ＲＲＣ_Ｃｏｎｎｅｃｔｅｄ状態」である場合に、「ＭＤＴ  Ｃｏｎｆｉｇｕｒａｔｉｏｎ＃１」を受信するように構成されている受信部１１と、「ＲＲＣ_Ｃｏｎｎｅｃｔｅｄ状態」において、セル＃１からセル＃２にハンドオーバを行う場合に、無線基地局ｅＮＢ＃２に対して、「ＭＤＴ  Ｃｏｎｆｉｇｕｒａｔｉｏｎ  Ｉｎｄｉｃａｔｉｏｎ」によって、既に「ＭＤＴ  Ｃｏｎｆｉｇｕｒａｔｉｏｎ」を記憶している旨を通知するように構成されている送信部１５とを具備することを要旨とする。
【００６４】
本実施形態の第３の特徴は、無線基地局ｅＮＢ＃１であって、配下のセル＃１において「ＲＲＣ_Ｃｏｎｎｅｃｔｅｄ状態」の移動局ＵＥに対して、「ＭＤＴ  Ｃｏｎｆｉｇｕｒａｔｉｏｎ＃１」を通知するように構成されており、「ＲＲＣ_Ｃｏｎｎｅｃｔｅｄ状態」の移動局ＵＥが、セル＃１からセル＃２にハンドオーバを行う際に、無線基地局ｅＮＢ２に対して、移動局ＵＥにおいて「ＭＤＴ  Ｃｏｎｆｉｇｕｒａｔｉｏｎ」が既に記憶されている旨を通知するように構成されている送信部２２とを具備していることを要旨とする。
【００６５】
なお、上述の無線基地局ｅＮＢや移動局ＵＥや運用保守サーバＯＡＭや移動管理ノードＭＭＥの動作は、ハードウェアによって実施されてもよいし、プロセッサによって実行されるソフトウェアモジュールによって実施されてもよいし、両者の組み合わせによって実施されてもよい。
【００６６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥや運用保守サーバＯＡＭや移動管理ノードＭＭＥ内に設けられていてもよい。また、かかる記憶媒体及びプロセッサは、ディスクリートコンポーネントとして無線基地局ｅＮＢや移動局ＵＥや運用保守サーバＯＡＭや移動管理ノードＭＭＥ内に設けられていてもよい。
【００６８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６９】
ＵＥ…移動局
ｅＮＢ…無線基地局
１１、２１…受信部
１２…ＭＤＴ  Ｃｏｎｆｉｇｕｒａｔｉｏｎ記憶部
１３…測定部
１４、２３…ＭＤＴ  Ｌｏｇ記憶部
１５、２２…送信部
【図１】
0005205419.tif 000002
【図２】
0005205419.tif 000003
【図３】
0005205419.tif 000004
【図４】
0005205419.tif 000005
【図５】
0005205419.tif 000006
【図６】
0005205419.tif 000007